(57)【要約】  本発明は、骨切り術により分離された骨区域（２、２’）を延長するためのインプラント可能な骨延長装置（１）であって、第１のブロック（３）と、第２のブロック（３’）と、第１の骨区域（２）と第２の骨区域（２’）との間の延長を可能にする２つのブロック間のスペースを調節するための手段を含むアクチュエータ（４）とを備えるインプラント可能な延長装置（１）に関する。インプラント可能な骨延長装置（１）は、第１のブロック（３）と第２のブロック（３’）との間に存在する領域内に配置され、インプラント可能な骨延長装置（１）を含む媒体の振動応答を測定するように配向された、少なくとも１つの振動センサ（６）をさらに備える。【選択図】図１
2021504089.tif 000002
【特許請求の範囲】
【請求項１】
骨切り術により分離された骨区域（２、２’）を延長するためのインプラント可能な骨延長装置（１）であって、
第１の骨区域（２）にインプラントしかつ取り付けるための、第１のチャンバボアを画定する第１のブロック（３）と、
骨切り術により前記第１の骨区域（２）から分離された第２の骨区域（２’）にインプラントしかつ取り付けるための、第２のチャンバボアを画定する第２のブロック（３’）と、
作動時に前記第１の骨区域（２）と前記第２の骨区域（２’）との間の延長を可能にする前記第１のブロック（３）と前記第２のブロック（３’）との間のスペースを調節するための手段を含むアクチュエータ（４）と、
前記第１のブロック（３）と前記第２のブロック（３’）との間に存在する領域内に配置され、インプラント可能な骨延長装置（１）を含む媒体の振動応答を測定するように配向された、少なくとも１つの振動センサ（６）と、
を備えるインプラント可能な延長装置（１）。
【請求項２】
前記少なくとも１つの振動センサ（６）が、圧電素子又は加速度計である、請求項１に記載のインプラント可能な骨延長装置。
【請求項３】
前記少なくとも１つの振動センサ（６）が、機械的振動に対応する振動応答を測定するように配置される、請求項１又は請求項２に記載のインプラント可能な骨延長装置。
【請求項４】
前記媒体が、前記第１の骨区域（２）及び前記第２の骨区域（２’）をさらに含む、請求項１〜請求項３のいずれか一項に記載のインプラント可能な骨延長装置。
【請求項５】
前記少なくとも１つの振動センサが、骨癒合プロセスの推移のモニタリングを可能にする前記媒体の振動応答の推移を測定するように配置される、請求項１〜請求項４のいずれか一項に記載のインプラント可能な骨延長装置。
【請求項６】
前記第１のチャンバボア内に受け入れられる第１の端と、前記第１の端とは反対の、前記第２のチャンバボア内に受け入れられる第２の端とを有する駆動ロッドをさらに備え、前記駆動ロッドは、前記第１のブロックと前記第２のブロックとの間のスペースを調節することができ、
前記第１のチャンバボアは、駆動チャンバボアであり、
前記第２のチャンバボアは、ねじ付きボアであり、
前記駆動ロッド（５）の第２の端は、前記第２のブロック（３’）のねじ付きボア内にねじ込むことにより受け入れられるねじ付き端であり、さらに、
前記アクチュエータ（４）は、前記駆動ロッドを回転させるべく前記駆動ロッド（５）と協働し、前記駆動ロッドは、回転により前記第１のブロック（３）と前記第２のブロック（３’）との間のスペースを調節することができる、
請求項１〜請求項５のいずれか一項に記載のインプラント可能な骨延長装置。
【請求項７】
前記少なくとも１つの振動センサによって測定されるデータを送信するための無線インターフェースをさらに備える、請求項１〜請求項６のいずれか一項に記載のインプラント可能な骨延長装置。
【請求項８】
前記インプラント可能な骨延長装置（１）が、振動励起トランスデューサを備えない、請求項１〜請求項７のいずれか一項に記載のインプラント可能な骨延長装置。
【請求項９】
前記少なくとも１つの振動センサ（６）によって測定されたデータを記憶するためにメモリをさらに備える、請求項１〜請求項８のいずれか一項に記載のインプラント可能な骨延長装置。
【請求項１０】
医療モニタリング装置であって、
インプラント可能な骨延長装置から、少なくとも１つの振動センサによって測定されるインプラント可能な骨延長装置（１）を含む媒体の機械的振動応答に対応するデータを受信するための受信器と、
前記受信器によって受信されたデータから、少なくとも、
前記少なくとも１つの振動センサによって測定された振動応答から前記媒体の少なくとも１つの振動パターンを求めるステップと、
第１の期間中の測定された振動応答から求めた前記媒体の少なくとも１つの振動パターンの第１の値の推移を解析するステップと、
前記第１の値の関数としての延長インジケータを生成するステップと、
を通じて延長インジケータを計算するための計算器と、
を備える医療モニタリング装置。
【請求項１１】
前記第１の値が所定の閾値を超えるときに前記計算器が前記延長インジケータを生成するステップを行う、請求項１０に記載の医療モニタリング装置。
【請求項１２】
前記計算器が、前記受信器によって受信されたデータから、少なくとも、
前記少なくとも１つの振動センサによって測定された振動応答から前記媒体の少なくとも１つの振動パターンを求めるステップと、
第１の期間中の測定された振動応答から求めた前記媒体の少なくとも１つの振動パターンの第１の値の推移を解析するステップと、
第２の期間中の測定された振動応答から求めた前記媒体の少なくとも１つの振動パターンの第２の値の推移を解析するステップと、
前記第１の値と前記第２の値の比較を行うステップと、
前記比較の関数としての延長インジケータを生成するステップと、
を通じて延長インジケータを計算するように構成される、請求項１０又は請求項１１に記載の医療モニタリング装置。
【請求項１３】
前記比較が所定の閾値を超えるときに前記計算器が前記延長インジケータを生成するステップを行う、請求項１２に記載の医療モニタリング装置。
【請求項１４】
前記少なくとも１つの振動パターンが、減衰係数の関数である、請求項１０〜請求項１３のいずれか一項に記載の医療モニタリング装置。
【請求項１５】
前記計算器によって延長インジケータが生成されるときに延長をもたらす命令を前記インプラント可能な骨延長装置に送信するための送信器をさらに備える、請求項１０〜請求項１４のいずれか一項に記載の医療モニタリング装置。
【請求項１６】
前記少なくとも１つの振動センサによって測定される媒体の機械的振動応答が、骨癒合プロセスの推移のモニタリングを可能にする、請求項１０〜請求項１５のいずれか一項に記載の医療モニタリング装置。
【請求項１７】
医療モニタリング装置によって受信されることになるインプラント可能な骨延長装置（１）からの振動データの送信をアクティブにするインターフェースをさらに備え、前記振動データが、少なくとも１つの振動センサによって測定される、インプラント可能な骨延長装置を含む媒体の機械的振動応答に対応する、請求項１〜請求項９のいずれか一項に記載のインプラント可能な骨延長装置（１）と請求項１０〜請求項１６のいずれか一項に記載の医療モニタリング装置とを備える医療システム。
【請求項１８】
前記インプラント可能な骨延長装置（１）が、アクチュエータ（４）を作動するための作動手段を備え、前記医療モニタリング装置が、延長インジケータが生成されるときに前記アクチュエータ（４）を自動的に作動するための作動手段に接続された送信器を備える、請求項１７に記載の医療システム。
【請求項１９】
延長インジケータを生成するためのモニタリング方法であって、
インプラント可能な骨延長装置（１）から、少なくとも１つの振動センサによって測定されるインプラント可能な骨延長装置を含む媒体の機械的振動応答に対応するデータを受信することと、
受信したデータから、少なくとも、
前記少なくとも１つの振動センサによって測定された振動応答から前記媒体の少なくとも１つの振動パターンを求めるステップと、
第１の期間中の測定された振動応答から求めた前記媒体の少なくとも１つの振動パターンの第１の値の推移を解析するステップと、
前記第１の値の関数としての延長インジケータを生成するステップと、
を通じて延長インジケータを計算することと、
を含む、方法。
【請求項２０】
前記受信したデータから延長インジケータを計算するステップが、
前記少なくとも１つの振動センサによって測定された振動応答から前記媒体の少なくとも１つの振動パターンを求めるステップと、
第１の期間中の測定された振動応答から求めた前記媒体の少なくとも１つの振動パターンの第１の値の推移を解析するステップと、
第２の期間中の測定された振動応答から求めた前記媒体の少なくとも１つの振動パターンの第２の値の推移を解析するステップと、
前記第１の値と前記第２の値の比較を行うステップと、
前記比較の関数としての延長インジケータを生成するステップと、
を含む、請求項１９に記載のモニタリング方法。
【発明の詳細な説明】
【技術分野】
【０００１】
本発明は、インプラント可能な骨延長装置の分野に関する。
【背景技術】
【０００２】
骨延長術は、様々な欠陥をもつ患者の新生骨を成長させるために用いられている技術である。例えば、肢延長術は、骨（例えば、大腿骨又は脛骨）の長さを増加させることができる技術である。骨にコルチコトミー、すなわち骨を切断する骨切り術を施すことにより、結果として生じる２つの骨区域が１日当たり１ミリメートルなどの特定の速度で離れ、２つの区域が離れるにつれてそれらの間に新生骨が再生することになる。この肢延長技術は、以前の骨折が正常に治癒しなかった患者又は成長板が成熟する前に疾患が生じた又は損傷した患者などで、一方の肢が他方よりも長い場合に用いられる。一部の患者では、身長を伸ばすことが望まれ、これは患者の身長を増加させるべく両大腿骨及び／又は両脛骨を延長することによって達成される。
【０００３】
従来技術には、インプラント可能な骨延長装置及び関連する方法を開示する米国特許第５，３６４，３９６号がある。この植込み可能な骨装置は、それぞれ、分離した骨区域に固定され、回転可能な駆動ロッド及び駆動ロッドアクチュエータに連結される、２つのブロックを備える。駆動ロッドアクチュエータの作動により、回転可能な駆動ロッドが回転し、これにより２つのブロックが引き離される。
【０００４】
しかしながら、結果として生じる２つの骨区域の移動速度又は速度が重要である。実際、骨切り術により、２つの分離した骨区域間に間隙が生じる。本明細書では、２つの分離した骨区域の間隙での骨形成又は骨治癒の過渡段階に関係する異質組織を説明するために、仮骨が用いられる。
【発明の概要】
【発明が解決しようとする課題】
【０００５】
速度が速すぎると、前述の仮骨が分断され、骨治癒プロセスが生じなくなる場合がある。速度が遅すぎると、骨治癒プロセスが進行しすぎて２つの骨区域を引き離すことができず、新たに骨切り術が必要になる場合がある。
【０００６】
したがって、本発明は、インプラント可能な骨延長装置と、分離した骨区域間の骨治癒プロセスを連続的に又は半連続的にモニタリング及び識別するための医療モニタリング装置を提供することを意図している。
【課題を解決するための手段】
【０００７】
したがって、本発明は、第１の態様において、骨切り術により分離された骨区域を延長するためのインプラント可能な骨延長装置であって、
第１の骨区域にインプラントしかつ取り付けるための、第１のチャンバボアを画定する第１のブロックと、
骨切り術により第１の骨区域から分離された第２の骨区域にインプラントしかつ取り付けるための、第２のチャンバボアを画定する第２のブロックと、
作動時に第１の骨区域と第２の骨区域との間の延長を可能にする第１のブロックと第２のブロックとの間のスペースを調節するための手段を含む、アクチュエータと、
第１のブロックと第２のブロックとの間に存在する領域内に配置され、インプラント可能な骨延長装置を含む媒体の振動応答を測定するように配向された、少なくとも１つの振動センサと、
を備えるインプラント可能な骨延長装置に関係する。
【０００８】
一実施形態において、インプラント可能な骨延長装置は、前記第１のチャンバボア内に受け入れられる第１の端と、前記第１の端とは反対の、前記第２のチャンバボア内に受け入れられる第２の端とを有する駆動ロッドを備え、前記駆動ロッドは、第１のブロックと第２のブロックとの間のスペースを調節することができる。
【０００９】
一実施形態において、前記少なくとも１つの振動センサは、駆動ロッドの方向のインプラント可能な骨延長装置を含む媒体の振動応答を測定するように配向される。
【００１０】
本発明の装置の利点は、オペレータ又は医師にインジケータを与えるべく仮骨の形成の基準を測定できることであり、前記インジケータは癒合の状態を表す。振動センサの配置は、関連するインジケータの生成に寄与する。
【００１１】
一実施形態によれば、少なくとも１つの振動センサは、圧電素子又は加速度計である。一実施形態によれば、少なくとも１つの振動センサは、機械的振動に対応する振動応答を測定するように配置される。
【００１２】
一実施形態によれば、媒体は、第１の分離した骨区域と、第２の分離した骨区域をさらに含む。
【００１３】
一実施形態によれば、少なくとも１つの振動センサは、骨癒合プロセスの推移のモニタリングを可能にする媒体の振動応答の推移を測定するように配置される。
【００１４】
一実施形態によれば、インプラント可能な骨延長装置は、作動時に第１の骨区域と第２の骨区域との間の延長を可能にする第１のブロックと第２のブロックとの間のスペースを調節するべく前記駆動ロッドと協働する駆動ロッドアクチュエータを備える。
【００１５】
一実施形態によれば、第１のチャンバボアは、駆動チャンバボアであり、第２のチャンバボアは、ねじ付きボアであり、駆動ロッドの第２の端は、第２のブロックのねじ付きボア内にねじ込むことにより受け入れられるねじ付き端であり、アクチュエータは、前記駆動ロッドを回転させるべく前記駆動ロッドと協働し、前記駆動ロッドは、回転により第１のブロックと第２のブロックとの間のスペースを調節することができる。
【００１６】
一実施形態によれば、インプラント可能な骨延長装置は、駆動ロッドの方向の媒体の振動応答を測定するように配向された少なくとも１つの振動センサを備える。
【００１７】
一実施形態によれば、インプラント可能な骨延長装置は、駆動ロッドの長手方向の媒体の振動応答を測定するための第１の振動センサと、駆動ロッドの長手方向に垂直な方向の媒体の振動応答を測定するための第２の振動センサとを含む、少なくとも２つの振動センサを備える。
【００１８】
一実施形態によれば、インプラント可能な骨延長装置は、少なくとも１つの振動センサによって測定されるデータを送信するための無線インターフェースをさらに備える。
【００１９】
一実施形態によれば、インプラント可能な骨延長装置は、振動励起トランスデューサを備えない。
【００２０】
一実施形態によれば、インプラント可能な骨延長装置は、少なくとも１つの振動センサによって測定されるデータを記憶するためにメモリをさらに備える。
【００２１】
第２の態様において、本発明は、医療モニタリング装置であって、
インプラント可能な骨延長装置から、少なくとも１つの振動センサによって測定されるインプラント可能な骨延長装置を含む媒体の機械的振動応答に対応するデータを受信するための受信器と、
受信器によって受信されたデータから、少なくとも、
少なくとも１つの振動センサによって測定された振動応答から前記媒体の少なくとも１つの振動パターンを求めるステップと、
第１の期間中の少なくとも１つの振動センサによって測定される測定された振動応答から求めた前記媒体の少なくとも１つの振動パターンの第１の値の推移を解析するステップと、
第１の値の関数としての延長インジケータを生成するステップと、
を通じて延長インジケータを計算するための計算器と、
を備える医療モニタリング装置に関する。
【００２２】
一実施形態によれば、延長インジケータを生成するステップは、第１の値が所定の閾値を超えるときに実行される。
【００２３】
一実施形態によれば、医療モニタリング装置は、
インプラント可能な骨延長装置から、少なくとも１つの振動センサによって測定されるインプラント可能な骨延長装置を含む媒体の機械的振動応答に対応するデータを受信するための受信器と、
受信器によって受信されたデータから、少なくとも、
少なくとも１つの振動センサによって測定された振動応答から前記媒体の少なくとも１つの振動パターンを求めるステップと、
第１の期間中の少なくとも１つの振動センサによって測定される測定された振動応答から求めた前記媒体の少なくとも１つの振動パターンの第１の値の推移を解析するステップと、
第２の期間中の少なくとも１つの振動センサによって測定される測定された振動応答から求めた前記媒体の少なくとも１つの振動パターンの第２の値の推移を解析するステップと、
第１の値と第２の値の比較を行うステップと、
前記比較の関数としての延長インジケータを生成するステップと、
を通じて延長インジケータを計算するための計算器と、
を備える。
【００２４】
一実施形態によれば、延長インジケータを生成するステップは、前記比較が所定の閾値を超えるときに実行される。
【００２５】
一実施形態によれば、少なくとも１つの振動パターンは、媒体の共振周波数である。
【００２６】
一実施形態によれば、少なくとも１つの振動パターンは、減衰係数の関数である。
【００２７】
信号の処理ステップは、例えば、関連するパターンを求め、いくつかの関連する値との相関関数を得ることにより、例えば、所定の時間内の前記パターンの異なる値を比較することにより、関連するインジケータの生成に寄与する。
【００２８】
一実施形態によれば、医療モニタリング装置は、計算器によって延長インジケータが生成されるときにインプラント可能な骨延長装置に延長をもたらす命令を送信するための送信器をさらに備える。
【００２９】
一実施形態によれば、少なくとも１つの振動センサによって測定される媒体の機械的振動応答は、骨癒合プロセスの推移のモニタリングを可能にする。
【００３０】
第３の態様において、本発明は、本発明の第１の態様に係るインプラント可能な骨延長装置と本発明の第２の態様に係る医療モニタリング装置とを備える医療システムに関係しており、前記医療システムは、医療モニタリング装置によって受信されることになるインプラント可能な骨延長装置からの振動データの送信をアクティブにするインターフェースを備え、振動データは、少なくとも１つの振動センサによって測定されるインプラント可能な骨延長装置を含む媒体の機械的振動応答に対応する。
【００３１】
インプラント可能な骨延長装置と医療モニタリング装置は、骨癒合プロセスに関係したインジケータを改善するべく組み合わされた技術的効果をもたらすように協働する。骨延長装置の、特に、少なくとも１つの振動センサの特異的配置と、本発明に係る少なくとも１つの振動パターンの抽出を可能にする計算器によって行われるステップは、組み合わせて用いられるときに医療システムを特に効率的なものにする。
【００３２】
一実施形態によれば、インプラント可能な骨延長装置は、アクチュエータを作動するための作動手段を備え、医療モニタリング装置は、前記延長インジケータが生成されるときにアクチュエータを自動的に作動するための作動手段に接続された送信器を備える。
【００３３】
第４の態様において、本発明は、延長インジケータを生成する方法であって、
インプラント可能な骨延長装置から、少なくとも１つの振動センサによって測定されるインプラント可能な骨延長装置を含む媒体の機械的振動応答に対応するデータを受信することと、
受信したデータから、少なくとも、
少なくとも１つの振動センサによって測定された振動応答から前記媒体の少なくとも１つの振動パターンを求めるステップと、
第１の期間中の少なくとも１つの振動センサによって測定される測定された振動応答から求めた前記媒体の少なくとも１つの振動パターンの第１の値の推移を解析するステップと、
前記第１の値の関数としての延長インジケータを生成するステップと、
を通じて延長インジケータを計算することと、
を含む、方法に関する。
【００３４】
一実施形態によれば、延長インジケータを生成するステップは、第１の値が所定の閾値を超えるときに実行される。
【００３５】
一実施形態によれば、延長インジケータを生成する方法は、
インプラント可能な骨延長装置から、少なくとも１つの振動センサによって測定されるインプラント可能な骨延長装置を含む媒体の機械的振動応答に対応するデータを受信することと、
受信したデータから、少なくとも、
少なくとも１つの振動センサによって測定された振動応答から前記媒体の少なくとも１つの振動パターンを求めるステップと、
第１の期間中の少なくとも１つの振動センサによって測定される測定された振動応答から求めた前記媒体の少なくとも１つの振動パターンの第１の値の推移を解析するステップと、
第２の期間中の少なくとも１つの振動センサによって測定される測定された振動応答から求めた前記媒体の少なくとも１つの振動パターンの第２の値の推移を解析するステップと、
第１の値と第２の値の比較を行うステップと、
前記比較の関数としての延長インジケータを生成するステップと、
を通じて延長インジケータを計算することと、
を含む。
【００３６】
一実施形態によれば、延長インジケータを生成するステップは、前記比較が所定の閾値を超えるときに実行される。
【００３７】
一実施形態によれば、方法は、延長インジケータが生成されるときにインプラント可能な骨延長装置に延長をもたらす命令を送信するステップをさらに含む。
【００３８】
一実施形態によれば、前記方法は、延長インジケータが生成されるときに前記所定のピッチのスペースを増加又は減少させることにより２つの分離した骨区域間のスペースを調節するステップをさらに含む。
【００３９】
定義
本発明では、以下の用語は以下の意味を有する。
−「ブロック」：骨区域に取り付けられるように構成された部分を指す。
−「共振周波数」：応答振幅が極大の周波数を指す。
−「ピーク」：応答振幅が極大の周波数又は狭い周波数範囲を指す。
−「振動応答」：物体又はシステムの静止状態に戻るまでの運動の振幅を指す。
−「ヤング率」：固体材料の剛性の尺度である弾性率を指す。
−「振動パターン」：振動データの特徴を指し、前記振動パターンは、振動信号又は振動スペクトル、或いは任意の他の信号の処理を通じて抽出される場合がある。
−「骨癒合プロセス」：２つの分離した骨区域間の延長仮骨形成プロセス又は２つの骨区域間の骨再生プロセスを指す。
【図面の簡単な説明】
【００４０】
【図１】２つの分離した骨区域に設置された、一実施形態に係るインプラント可能な骨延長装置の正面図である。
【図２】２つの分離した骨区域に設置された、一実施形態に係るインプラント可能な骨延長装置の正面図であり、分離した骨区域のうちの一方に振動センサが配置されている。
【図３】２つの分離した骨区域に設置された、一実施形態に係るインプラント可能な骨延長装置の側面図である。
【図４】無線給電型アクチュエータと２つの振動センサを一体化した、一実施形態に係るインプラント可能な骨延長装置の側面図である。
【図５】無線給電型アクチュエータと１つの振動センサを一体化した、一実施形態に係るインプラント可能な骨延長装置の側面図である。
【発明を実施するための形態】
【００４１】
本発明の第１の態様は、２つの分離した骨区域間の骨治癒プロセスをモニタリングするために振動センサを備える、骨切り術により分離された骨区域を延長するためのインプラント可能な骨延長装置に関係する。
【００４２】
図１に例示したように、インプラント可能な骨延長装置１は、第１の骨区域２にインプラントしかつ取り付けるための、第１のチャンバボアを画定する第１のブロック３を備える。インプラント可能な骨延長装置１は、骨切り術により第１の骨区域２から分離された第２の骨区域２’に植え込む及び取り付けるための、第２のチャンバボアを画定する第２のブロック３’を備える。一実施形態において、インプラント可能な骨延長装置１は、前記第１のチャンバボア内に受け入れられる第１の端と、前記第１の端とは反対の、前記第２のチャンバボア内に受け入れられる第２の端とを有する駆動ロッド５を備え、前記駆動ロッド５は、第１のブロック３と第２のブロック３’との間のスペースを調節することができる。
【００４３】
インプラント可能な骨延長装置１は、作動時に第１の骨区域２と第２の骨区域２’の間の延長を可能にする第１のブロック３と第２のブロック３’との間のスペースを調節するためにアクチュエータをさらに備える。
【００４４】
一実施形態において、アクチュエータは、作動時に第１の骨区域２と第２の骨区域２’の間の延長を可能にする第１のブロック３と第２のブロック３’との間のスペースを調節するべく前記駆動ロッド５と協働する、駆動ロッドアクチュエータ４である。
【００４５】
インプラント可能な骨延長装置１は、第１のブロック３と第２のブロック３’の間に存在する領域内に配置され、インプラント可能な骨延長装置１を含む媒体の振動応答を測定するように配向された、少なくとも１つの振動センサ６をさらに備える。一実施形態において、前記媒体は、第１の骨区域２及び第２の骨区域２’をさらに含む。一実施形態において、媒体は、２つの分離した骨区域間の間隙に存在する仮骨をさらに含む。一実施形態において、媒体は、インプラント可能な骨延長装置の環境をさらに含む。一実施形態において、媒体は、隣接する骨、筋肉、靱帯などの、インプラント可能な骨延長装置の周囲組織をさらに含む。
【００４６】
一実施形態において、振動センサ６は、仮骨の形成に伴って発生し得る振動応答を測定するように構成、配置、及び配向される。
【００４７】
一実施形態において、振動センサ６は、仮骨のできるだけ近くに配置される。一実施形態において、振動センサ６は、インプラント可能な骨延長装置１に配置される。一実施形態において、振動センサ６は、図１に例示したように第１のブロック３又は第２のブロック３’に配置される。一実施形態において、振動センサ６は、駆動ロッド５又は駆動ロッドアクチュエータ４に配置される。一実施形態において、振動センサは、図５に例示したように駆動ロッド５の長手方向に沿って第１のブロック３又は第２のブロック３’と横方向に位置合わせされる。図２に例示した別の実施形態では、振動センサ６は、第１の骨区域２又は第２の骨区域２’に配置されるように構成される。
【００４８】
一実施形態において、前記振動センサは、駆動ロッドの方向のインプラント可能な骨延長装置を含む媒体の振動応答を測定するように配向される。
【００４９】
一実施形態において、駆動ロッドは、第１及び第２のブロックの軸線の長手方向に沿って延びる長手方向要素である。一実施形態において、振動センサ６は、駆動ロッド５の長手方向の機械的振動を測定するように配向される。一実施形態において、振動センサは、駆動ロッドの長手方向に垂直な方向の機械的振動を測定するように配向される。
【００５０】
図４に例示した一実施形態によれば、第１のブロック３は長手方向の溝を備え、第２のブロック３’は、図５で分かるように、第１のブロックと第２のブロックとの間のスペースを増加させるべく前記溝に沿って移動することができる。
【００５１】
一実施形態によれば、インプラント可能な骨延長装置１は、少なくとも２つの振動センサ６、すなわち、駆動ロッド５の長手方向の機械的振動を測定するための第１の振動センサと、駆動ロッド５の長手方向に垂直な方向の機械的振動を測定するための第２の振動センサとを備える。別の実施形態によれば、インプラント可能な骨延長装置１は、少なくとも３つの振動センサ６、すなわち、駆動ロッド５の長手方向の機械的振動を測定するための第１の振動センサと、駆動ロッドの長手方向と直交する２つの方向の機械的振動を測定するための第２及び第３の振動センサとを備える。
【００５２】
図３に例示した一実施形態において、インプラント可能な骨延長装置１は、
第１の骨区域２にインプラントしかつ取り付けるための、駆動チャンバボアを画定する第１のブロック３と、
骨切り術により第１の骨区域２から分離された第２の骨区域２’にインプラントしかつ取り付けるための、ねじ付きボアを画定する第２のブロック３’と、
前記駆動チャンバボア内に受け入れられる第１の駆動端と、前記第１の駆動端とは反対の、ねじ付きボア内に受け入れられる第２のねじ付き端とを有する、回転可能な駆動ロッド５と、
前記駆動チャンバボア内に配置され、作動時に前記第１の駆動端を回転させ、第１の骨区域と第２の骨区域との間の延長を可能にする第１のブロックと第２のブロックとの間のスペースを調節するべく前記第１の駆動端と協働する、アクチュエータと、
を備える。
【００５３】
一実施形態において、アクチュエータは、駆動ロッドアクチュエータである。
【００５４】
一実施形態において、駆動ロッドアクチュエータは、延長ねじを含む。延長ねじは、駆動ロッドのねじ付き遠位端が前記ねじ付きボア内にねじ込むことにより受け入れられる固有の深さを調節することができるように、前記駆動ロッドを回転させるべく駆動ロッド５と協働する。この調節により、第１の骨区域と第２の骨区域との間の延長を可能にする第１のブロックと第２のブロックとの間隔を調節することができる。このようにして、それらの間の骨成長を強化することができる。この実施形態では、オペレータは、駆動ロッドアクチュエータ４をねじ込むことにより、第１のブロック３と第２のブロック３’との間のスペースを制御することができる。
【００５５】
一実施形態において、少なくとも１つの振動センサ６は、所定の時間にわたる媒体の振動応答を連続的に又は半連続的に記録する。一実施形態によれば、少なくとも１つの振動センサ６は、機械的振動に対応する振動応答を測定するように配置される。一実施形態によれば、少なくとも１つの振動センサ６は、前記媒体の振動周波数値及び／又は振動振幅値を測定するように構成される。一実施形態によれば、少なくとも１つの振動センサ６は、第１のブロック、第２のブロック、駆動ロッドアクチュエータ、及び／又は回転可能な駆動ロッドに配置される。
【００５６】
１つの好ましい実施形態によれば、少なくとも１つの振動センサは、圧電素子である。圧電振動センサは、機械的応力又は変形が生じたときに、電界をもたらすことができる。圧電素子によってもたらされる電流は、変形（又は応力）の強度の関数である。圧電素子は、振動の振幅及び周波数を測定することができる。
【００５７】
１つの好ましい実施形態によれば、少なくとも１つの振動センサ６は、加速度計要素である。前記加速度計は、静的（重力）加速度と動的（運動又は振動）加速度との両方を測定できる電気機械式装置である。
【００５８】
一実施形態によれば、少なくとも１つの振動センサ６によって生成された信号は、周波数スペクトルを得ることを可能にする。一実施形態において、少なくとも１つの振動センサ６によって生成された信号は、周波数スペクトルを得るべくフーリエ変換又はウェーブレット変換によって変換される。
【００５９】
実際、振動センサ６は、加えられた機械的応力に応答して電荷を生成することができる。振動が発生するとき、前記振動センサは、媒体の振動応答を測定する。
【００６０】
この方策の利点は、仮骨の推移に基づいている。実際、仮骨の剛性は、骨癒合プロセスに伴って高まる。さらに、仮骨の剛性の推移は、媒体の振動応答を変化させる。次いで、骨癒合プロセスの推移をモニタリングすることができ、これにより、オペレータへの情報の生成が可能となる。このようにして、オペレータは、骨形成の関数としての第１の骨区域と第２の骨区域との間の延長の速度を制御することができる。
【００６１】
一実施形態によれば、少なくとも１つの振動センサは、２０Ｈｚ〜１００００Ｈｚ、好ましくは３０Ｈｚ〜７０００Ｈｚ、より好ましくは４０Ｈｚ〜５０００Ｈｚの範囲の周波数での前記媒体の振動応答を測定するように構成される。
【００６２】
一実施形態によれば、前記インプラント可能な骨延長装置１は、振動励起トランスデューサを備えない。振動励起トランスデューサは、振動センサによって記録されるノイズを増加させ、より多くのエネルギーの使用を必要とする場合がある。実際、脊柱の運動によって力学的波が自然に発生する。一実施形態によれば、振動センサは、振動を発することもできる。
【００６３】
インプラント可能な骨延長装置１がユーザの体にインプラントした後で、２つの分離した骨区域間に骨形成プロセスが期待される。骨癒合プロセスの進行は、インプラント可能な骨延長装置１と分離した骨区域２、２’を含む媒体の剛性を変化させることができ、それから、振動応答を変化させることができる。
【００６４】
日中の人体の動きのために、インプラント可能な骨延長装置は絶えず振動を受ける。これらの振動は種々の周波数と関連付けられる。
【００６５】
これらの周波数を振動センサで連続的に又は半連続的に記録することにより、十分な時間（数時間から数日）で広範囲の周波数が記録され、これは医療装置が広範囲の周波数での振動応答を解析することを可能にすることを出願人は発見した。
【００６６】
言い換えれば、振動の振幅及びそれらの周波数のモニタリングは、インプラント可能な骨延長装置を含む媒体の振動の周波数スペクトルの生成を可能にする。
【００６７】
別の実施形態では、機械的振動は、人体の外部にある装置によって生成される場合がある。
【００６８】
一実施形態において、インプラント可能な骨延長装置１は、振動センサによって測定されたデータをインプラント可能な骨延長装置１から又は振動センサから外部装置に送信するための手段をさらに備える。
【００６９】
一実施形態において、インプラント可能な骨延長装置１は、前記測定値を送信するための無線インターフェースをさらに備える。
【００７０】
一実施形態において、インプラント可能な骨延長装置１は、少なくとも１つの振動センサ６によって測定されたデータを記憶するための手段をさらに備える。前記測定されたデータを記憶するための手段は、メモリであってよく、前記メモリは、少なくとも１つの振動センサ６に接続される。
【００７１】
一実施形態において、前記メモリは、前記測定されたデータを送信するためのインターフェース（無線であり得る）に接続される。
【００７２】
一実施形態において、駆動ロッドアクチュエータ４は、駆動ロッド５と協働する。この協働は、第１の骨区域２と第２の骨区域２’の間の延長を可能にする第１のブロック３と第２のブロック３’との間のスペースの調節（増加又は減少）をもたらす。
【００７３】
実際、延長プロセスは、骨癒合のブリッジが達成されるときの２つの骨区域間のスペースを増加させることを含む。前記駆動ロッドアクチュエータの作動により、回転可能な駆動ロッドが回転し、第１の骨区域と第２の骨区域との間のスペースが増加する。
【００７４】
一実施形態において、２つの骨区域間の骨癒合のブリッジの形成の検出により、アクチュエータが、２つの骨区域間のスペースを増加させるべく自動的に作動する。
【００７５】
一実施形態において、インプラント可能な骨延長装置１は、駆動ロッドアクチュエータ４を作動するための作動手段を備える。一実施形態によれば、前記駆動ロッドアクチュエータ４を作動するための作動手段は、外部装置に接続される。一実施形態によれば、駆動ロッドアクチュエータ４は、駆動ロッドアクチュエータ４を作動することができる電気モータ、空気圧モータ、又は油圧モータを備える。
【００７６】
好ましい実施形態において、前記駆動ロッドアクチュエータ４を作動するための作動手段は、受信器を備える。前記受信器は、外部装置から信号を受信し、駆動ロッドアクチュエータ４を作動することが可能であり得る。
【００７７】
第２の態様によれば、本発明は、受信器と計算器を備える医療モニタリング装置に関する。
【００７８】
一実施形態において、医療モニタリング装置は、インプラント可能な骨延長装置から媒体の機械的振動に対応するデータを受信するための受信器を備える。一実施形態において、前記媒体は、インプラント可能な骨延長装置を含み、随意的に、２つの分離した骨区域及び／又は前記２つの分離した骨区域間の仮骨をさらに含む。
【００７９】
一実施形態において、医療モニタリング装置は、受信したデータから延長インジケータを計算するための計算器を備える。
【００８０】
一実施形態において、前記延長インジケータは、少なくとも、
少なくとも１つの振動センサ６によって測定された振動応答から前記媒体の少なくとも１つの第１の振動パターンを求めるステップと、
第１の期間中の測定された振動応答から求めた前記媒体の少なくとも１つの振動パターンの第１の値の推移を解析するステップと、
第１の値が所定の閾値を超えるときに延長インジケータを生成するステップと、
を通じて計算器で計算される。
【００８１】
一実施形態において、前記延長インジケータは、少なくとも、
少なくとも１つの振動センサ６によって測定された振動応答から前記媒体の少なくとも１つの第１の振動パターンを求めるステップと、
第１の期間中の測定された振動応答から求めた前記媒体の少なくとも１つの振動パターンの第１の値の推移を解析し、前記第１の値を基準値として定義するステップと、
経時的に、第２の期間中の測定された振動応答から求めた前記媒体の少なくとも１つの振動パターンの少なくとも１つの第２の値の推移を解析するステップと、
少なくとも１つの第２の値と前記基準となる第１の値を比較するステップと、
前記比較が所定の閾値を超えるときに延長インジケータを生成するステップと、
を通じて計算器で計算される。
【００８２】
一実施形態において、値の推移は、第１の値と少なくとも１つの第２の値の比較の関数として判定される。
【００８３】
一実施形態において、所定の閾値は、ユーザインターフェースを通じて計算器に手動で提供される。一実施形態によれば、前記所定の閾値は、第１の値の１％〜７％の範囲、好ましくは、第１の値の０．５％〜１０％の範囲、又は第１の値の０．５％〜２０％の範囲である。
【００８４】
一実施形態において、少なくとも１つの振動パターンは、連続的に又は半連続的に求められる。一実施形態において、前記振動パターンの第１の値が求められるとき、前記第１の値が基準になる。
【００８５】
前記振動パターンの第２の値が求められるとき、計算器は、前記新しい第２の値を基準と比較する。一実施形態において、比較は、差又は差を含む関数である。一実施形態において、前記差が所定の閾値を超えるとき、計算器は、延長インジケータを生成する。
【００８６】
一実施形態によれば、第１の値と少なくとも１つの第２の値を比較するステップは、第１の値と第２の値との差を計算し、前記差を所定の閾値と比較するステップを含む。
【００８７】
一実施形態によれば、前記所定の閾値は、第１の値の１％〜７％の範囲、好ましくは、第１の値の０．５％〜１０％の範囲、又は第１の値の０．５％〜２０％の範囲である。
【００８８】
一実施形態において、計算器は、前記比較が所定の閾値を超えるまで、前記振動パターンの第２の値を求め、前記第２の値を基準と比較するステップを繰返し実行する。
【００８９】
一実施形態において、前記延長インジケータは、第１の期間と第２の値が求められる第２の期間との間の仮骨の物理的特性の構造的変化を示す。
【００９０】
一実施形態において、前記生成された延長インジケータは、２つの期間の間の仮骨を含む媒体の構造的変化を反映する。一実施形態において、前記生成された延長インジケータは、第１の基準期間と第２の期間との間の仮骨を含む媒体の構造的変化を反映する。一実施形態において、第１の基準期間は、駆動ロッドアクチュエータの最後の作動の期間に対応する。
【００９１】
一実施形態において、延長インジケータは、仮骨の固化の始まりを反映する。
【００９２】
次いで、オペレータは、延長を可能にする分離した骨区域間のスペースを調節するべくインプラント可能な骨延長装置を作動することができる。一実施形態において、この方法は、分離した骨区域間のスペースを調節した後に最初から実行される。一実施形態において、振動パターンの第１の値又は基準は、分離した骨区域間のスペースを調節した後に求めた振動パターンの第１の値である。
【００９３】
一実施形態によれば、前記モニタリング装置は、インピーダンスメータ、及び／又はディスプレイなどのユーザインターフェースをさらに備える。一実施形態によれば、前記インターフェースは、ユーザが測定パラメータを提供すること及び少なくとも１つの生成された延長インジケータを表示することを可能にするために必要とされる。
【００９４】
一実施形態において、計算器は、メモリを備える。一実施形態において、前記メモリは、所定の閾値の値を備える。一実施形態において、計算器は、求めた振動パターンの値をそのメモリに記憶することができる。一実施形態によれば、医療モニタリング装置は、インプラント可能な骨延長装置から受信した測定データを記憶することができるメモリユニットを備える。
【００９５】
一実施形態において、計算ステップは、
測定された振動応答から前記媒体の少なくとも１つの振動パターンの少なくとも１つの第２の値を求めるステップと、
第１の値を少なくとも１つの第２の値と比較するステップと、
前記比較の関数として推移を判定するステップと、
を含む。
【００９６】
一実施形態において、本発明は、骨癒合プロセスの情報を提供するために振動応答の測定を用いる。前記振動応答の測定は、いくつかの振動パターンの観察につながる。
【００９７】
一実施形態において、前記振動パターンは、共振周波数である。一般に、固体材料が振動を受けるとき、前記振動への前記材料の応答は実質的に同じである。しかしながら、応答が他の周波数応答よりもかなり高い、特定の周波数が存在する。これらの特定の周波数は、共振周波数と呼ばれる。
【００９８】
振動パターンが共振周波数である一実施形態によれば、方法は、測定される周波数スペクトルの各振動周波数に関して測定される振動応答を走査するステップを含む。一実施形態において、方法は、振動応答が他の周波数応答よりもかなり高い、少なくとも１つの基準共振周波数を判定するステップを含む。一実施形態によれば、受信されるデータは、周波数のスペクトルである。
【００９９】
一実施形態において、媒体の少なくとも１つの共振周波数値を計算するステップは、
振動センサによって行われた測定から、各周波数に関して前記媒体の振動応答を走査するステップと、
前記振動応答の少なくとも１つのピークを識別するステップと、
随意的に、前記少なくとも１つのピークの中心の周波数値を記録するステップと、
随意的に、前記周波数値を共振周波数値としてラベル付けするステップと、
を含む。
【０１００】
別の実施形態によれば、同じ目的を達成するために別の振動パターンを用いることができる。前記振動パターンは、周波数スペクトルの特徴とすることができる。前記振動パターンは、１つの所定の周波数又は測定される周波数スペクトルでの信号の振幅とすることもできる。
【０１０１】
一実施形態によれば、医療モニタリング装置は、２つの分離した骨区域間の骨癒合プロセスについての情報を得るべく前記少なくとも１つの共振周波数値をモニタリングする。
【０１０２】
別の実施形態では、振動パターンは、所定数の周波数での測定された振動応答である。例えば、振動パターンは、切りよく２０００、２５００、３０００、４０００、及び／又は４５００Ｈｚでの媒体の振動応答とすることができる。一実施形態によれば、前記振動パターンは、少なくとも１つの所定の周波数での信号の振幅である。
【０１０３】
一実施形態によれば、前記振動パターンは、所定の周波数での信号の振幅である。一実施形態によれば、前記振動パターンは、フーリエ変換又はウェーブレット変換などの振動応答の数学的変換である。一実施形態によれば、前記振動パターンは、或る時間にわたる周波数の変動である。
【０１０４】
一実施形態によれば、本発明は、モード減衰係数（ＭＤＦ）を計算するための手段を含む。有利には、本発明では、周波数スペクトルは、ピークの中心周波数を中心とした共振ピークの幅に比例する減衰係数を計算するのに用いられる。
【０１０５】
一実施形態において、計算器によって実行されるステップは、反復的に実行される。一実施形態において、計算器によって実行されるステップは、閉ループの方法で実行される。一実施形態において、計算器は、これらのステップを半連続的に実行して延長インジケータを半連続的に生成する。一実施形態において、計算器は、これらのステップを連続的に実行して延長インジケータを連続的に生成する。
【０１０６】
本発明によれば、計算器は、少なくとも１つの基準振動パターンを備える。一実施形態によれば、医療装置は、少なくとも１つの基準振動パターンを備えるメモリユニットを備える。
【０１０７】
前記コンピュータ可読データキャリアは、インプラント可能な骨延長装置と分離した骨区域とを含む媒体の少なくとも１つの振動パターンを求め又は計算し、前記振動パターンを基準振動パターンと比較する。前記比較から、前記コンピュータ可読データキャリアを備えるコンピュータは、２つの骨区域間の間隙を増加させるべきか否かを判定することができ、随意的に、この間隙を増加させるコマンドをアクチュエータに送信することができる。
【０１０８】
一実施形態によれば、前記医療モニタリング装置は、ユーザの体外に位置するように構成される。一実施形態によれば、前記医療モニタリング装置は、ベルト、好ましくは腹部のベルトである。
【０１０９】
一実施形態において、振動パターンを抽出する前に振動信号を処理するために、数値又はアナログ増幅器又はフィルタが用いられてよい。測定した信号のいくつかの振動パターンを抽出するために、例えば最尤基準を用いる相関法が、いくつかの所定のパターンを有するいくつかの所定の信号に適用されてよい。
【０１１０】
振動応答の測定から、コンピュータ可読データキャリアに接続されたコンピュータは、媒体の少なくとも１つの振動パターンと、記録されたデータからの任意の他の適切な情報を計算することができる。
【０１１１】
本発明の第３の態様は、本発明の第１の態様に係るインプラント可能な骨延長装置１と本発明の第２の態様に係る医療モニタリング装置とを備える医療システムに関係する。一実施形態において、前記医療モニタリング装置は、医療モニタリング装置によって受信されることになるインプラント可能な骨延長装置１からの振動データの送信をアクティブにするインターフェースを備える。
【０１１２】
一実施形態において、医療システムは、インプラント可能な骨延長装置１と医療モニタリング装置とを接続する通信手段を備える。一実施形態において、前記通信手段は、無線送信手段を備える。送信手段は、少なくとも１つの送信器と少なくとも１つの受信器を備えていてよい。一実施形態において、インプラント可能な骨延長装置１と医療モニタリング装置は、両方とも、前記測定値を送信するための手段を備える。一実施形態において、医療システムは、前記測定値を送信するための手段を備え、前記手段は、医療モニタリング装置とインプラント可能な骨延長装置１との間の、又は医療モニタリング装置と振動センサ６との間の双方向通信を可能にする。
【０１１３】
次いで、少なくとも１つの振動センサ６によって収集されたデータが、医療モニタリング装置に送信される。次いで、医療モニタリング装置は、振動パターンの推移が所定の閾値を超えるときに延長インジケータを生成するためにこれらのデータを後述するように処理することができる。
【０１１４】
一実施形態によれば、医療モニタリング装置は、エネルギーを提供する手段を備える。一実施形態によれば、医療モニタリング装置は、インプラント可能な骨延長装置１に供給されるエネルギーを提供することができる。一実施形態によれば、医療モニタリング装置は、インプラント可能な骨延長装置１にエネルギーを供給するために無線電力伝送手段を備える。一実施形態によれば、医療モニタリング装置は、電源に接続された無線送信器を備える。
【０１１５】
一実施形態によれば、インプラント可能な骨延長装置１は、少なくとも１つの受信器を備える。別の実施形態によれば、医療システムは、インプラント可能な骨延長装置に有線接続された受信器を備える。一実施形態によれば、電源に接続された無線送信器が、介在する空間を越えて前記受信器に電界エネルギーを伝達し、前記受信器は、前記電界エネルギーを電流に戻るように変換する。
【０１１６】
前記実施形態において、医療システムは、測定値を送信するための無線インターフェースに、及び／又は振動センサに、随意的に駆動ロッドアクチュエータに、エネルギーを提供することができる。
【０１１７】
１つの好ましい実施形態において、インプラント可能な骨延長装置は、エネルギーを受信するための少なくとも１つの受信器と、医療モニタリング装置に測定データを送信するための少なくとも１つの送信器を備える。前記実施形態によれば、受信器は、データを送信するための手段に及び駆動ロッドアクチュエータに電気的に接続される。
【０１１８】
例示していない一実施形態によれば、インプラント可能な骨延長装置は、有線で、前記エネルギーを受信するための受信器に接続され、且つ、前記医療モニタリング装置に測定データを送信するための少なくとも１つの送信器に接続される。
【０１１９】
第４の態様によれば、本発明は、本発明の第１の態様に係るインプラント可能な骨延長装置１とコンピュータ可読データキャリアとを備える、骨切り術により分離された骨区域を延長するための医療モニタリング装置に関する。一実施形態において、前記医療モニタリング装置は、インプラント可能な骨延長装置１からコンピュータ可読データキャリアに前記測定値を送信するための手段をさらに備える。一実施形態において、前記コンピュータ可読データキャリアは、
少なくとも１つの閾値と、
コンピュータによって実行されるときに、コンピュータに、
ａ．測定された振動応答から媒体の少なくとも１つの第１の振動パターンを求めるステップと、
ｂ．経時的に、測定された振動応答から前記媒体の少なくとも１つの第２の振動パターンを求めるステップと、
ｃ．少なくとも１つの第１の振動パターンと少なくとも１つの第２の振動パターンとの差を計算するステップと、
ｄ．前記計算した差の値が少なくとも１つの閾値を超えるときに延長インジケータを生成するステップと、
を実行させる命令と、
を備える。
【０１２０】
一実施形態において、計算した差が少なくとも１つの閾値を超えない場合、コンピュータは、ステップｂに戻って実行する。
【０１２１】
一実施形態において、ステップａ）、ｂ）、ｃ）、及びｄ）は、反復的に実行される。
【０１２２】
一実施形態において、計算した差が少なくとも１つの閾値を超える場合、命令は、アクチュエータを自動的に遠隔作動するステップをさらに含む。
【０１２３】
一実施形態において、前記コンピュータ可読データキャリアは、延長インジケータが生成されるときにアクチュエータ又は駆動ロッドアクチュエータ４を自動的に作動する命令をさらに含む。
【０１２４】
一実施形態において、装置は、延長するための手段を備える。一実施形態において、延長するための手段は、２つの分離した骨区域間の延長を提供する。一実施形態において、延長は、測定された振動応答に基づいてアクティブにされる。
【０１２５】
一実施形態において、延長するための手段は、測定された振動応答をアクチュエータに送信するために送信器を備える。一実施形態において、医療モニタリング装置の計算器が延長インジケータを生成するとき、送信器は、アクチュエータに信号を送信する。一実施形態において、送信器は、アクチュエータを遠隔作動して、分離した骨区域の延長をもたらす。
【０１２６】
一実施形態において、駆動ロッドアクチュエータ４は、延長インジケータが生成されるときに自動的に作動する。
【０１２７】
一実施形態において、駆動ロッドアクチュエータの遠隔作動は、前記所定のピッチのスペースを増加又は減少させることによって２つの分離した骨区域間のスペースの調節をもたらす。
【０１２８】
第５の態様によれば、本発明は、方法に関する。一実施形態によれば、前記方法は、モニタリング方法である。一実施形態において、前記方法は、
インプラント可能な骨延長装置１から媒体の機械的振動応答に対応するデータを受信するステップと、
受信したデータから、
測定された振動応答から前記媒体の少なくとも１つの振動パターンを求め、
第１の期間中の測定された振動応答から少なくとも１つの振動パターンの第１の値の推移を解析し、
第１の値が所定の閾値を超えるときに延長インジケータを生成する、
ことにより延長インジケータを計算するステップと、
を含む。
【０１２９】
一実施形態において、前記方法は、閉ループの方法である。一実施形態において、本方法は、受信するステップと計算するステップを反復的に含む。一実施形態において、方法は、これらのステップを半連続的に実行して延長インジケータを半連続的に生成する。一実施形態において、方法は、これらのステップを連続的に実行して延長インジケータを連続的に生成する。
【０１３０】
一実施形態において、前記方法は、延長インジケータが生成されるときにアクチュエータを作動するステップをさらに含む。
【０１３１】
一実施形態において、前記方法は、開ループの方法である。
【０１３２】
本発明はさらに、本発明に係るモニタリング方法と、延長インジケータが生成されるときに前記所定のピッチのスペースを増加又は減少させることにより２つの分離した骨区域間のスペースを調節するステップとを含む操作方法に関する。
【０１３３】
一実施形態において、所定のピッチは、２つの分離した骨区域間の仮骨を壊さずに前記２つの分離した骨区域を引き離すために適用でき得る距離である。一実施形態において、前記ピッチは、０．１〜５ｍｍの範囲である。
【０１３４】
一実施形態において、前記方法は、本発明の第３の態様に係る医療システムを用いる。
【０１３５】
様々な実施形態が説明及び図示されているが、詳細な説明は、それに限定されると解釈されるべきではない。特許請求の範囲によって定義される本開示の真の精神及び範囲から逸脱することなく、当業者はこれらの実施形態に様々な修正を加えることができる。
【符号の説明】
【０１３６】
１：インプラント可能な骨延長装置
２：第１の骨区域
２’：第２の骨区域
３：第１のブロック
３’：第２のブロック
４：駆動ロッドアクチュエータ
５：駆動ロッド
６：振動センサ
【図１】
2021504089.tif 000003
【図２】
2021504089.tif 000004
【図３】
2021504089.tif 000005
【図４】
2021504089.tif 000006
【図５】
2021504089.tif 000007
【国際調査報告】
2021504089.tif 000008
2021504089.tif 000009